(57)【要約】      （修正有）【課題】フルーツ、ゼリー、ヨーグルト、魚、肉などの食品を幼児に与えるために用いることができる授食装置を提供する。【解決手段】複数の孔が容器上に形成される。第１連結部材５は、容器開口端と連通状態にある開口部５１を有する。第２連結部材３は第１連結部材と協働するとともに、食品を開口部を通過させて食品容器７内へと入れることを可能にする開いた構成と、第２連結部材が食品容器の開口端をカバーして封止する封止した構成との間で移動可能である。容器は柔らかい弾性材料で形成されており、孔８および食品容器は、通常は容器がその元の形状にあり、食品が食品容器の内部にとどまるようなサイズおよび形状に形成されている。容器は、授食の際に外力によって変形し、その力の解放によってその元の形状に戻る。【選択図】図１
0003159462.tif 000002
【実用新案登録請求の範囲】
【請求項１】
開口端と、閉口端と、少なくとも１つの孔と、を備える食品容器と、
容器開口端と連通している開口部を備える第１連結部材であって、食品容器が第１連結部材と係合している第１連結部材と、
第１連結部材と協働する第２連結部材であって、食品が開口部を通過して食品容器内へ入ることを可能にする開いた構成と、第２連結部材が第１連結部材の開口部をカバーして食品容器の開口端を封止する封止した構成と、の間で移動可能な第２連結部材と、
を備える授食装置であって、
食品容器は柔らかい弾性材料で形成されており、少なくとも１つの孔および食品容器は、通常は食品容器がその元の形状にありそして食品が食品容器の内部にとどまるサイズおよび形状に形成されており、食品容器は人の口の中にあるとき食品を少なくとも１つの孔を通過させる外力によって変形し、そして、食品容器はその力が解放されたときその元の形状に戻る授食装置。
【請求項２】
請求項１に記載の授食装置であって、柔らかい弾性材料は、食品用途に適したシリコーン、ラテックスあるいはゴムからなる授食装置。
【請求項３】
請求項１に記載の授食装置であって、食品容器は、食品容器の外面においてそれぞれの孔の周囲に凸状部を備える授食装置。
【請求項４】
請求項３に記載の授食装置であって、凸状部の外面は、概ね上部を切りとられたドーム状である授食装置。
【請求項５】
請求項１に記載の授食装置であって、さらに、封止した構成のとき第１および第２連結部材を合わせて固定するための少なくとも１つの固定機構を備える授食装置。
【請求項６】
請求項１に記載の授食装置であって、第１および第２連結部材は、ねじあるいは留め具によって合わせて固定される授食装置。
【請求項７】
請求項１に記載の授食装置であって、第１および第２連結部材は、一方の側でヒンジによって合わせて接続され、反対側で合わせて固定される授食装置。
【請求項８】
請求項１に記載の授食装置であって、第１および第２連結部材は、２つの側において２つの留め具によってそれぞれ合わせて固定される授食装置。
【請求項９】
請求項１に記載の授食装置であって、食品容器の開口端と、第１および第２連結部材の外面と、の形状は、概ね円形である授食装置。
【請求項１０】
請求項１に記載の授食装置であって、食品容器は、概ね哺乳瓶の乳首の形状である授食装置。
【請求項１１】
請求項１に記載の授食装置であって、食品容器の閉口端の形状は、概ね幼児の口の形状と一致する授食装置。
【請求項１２】
請求項１に記載の授食装置であって、さらに、食品容器をカバーするためのキャップを備える授食装置。
【請求項１３】
請求項１に記載の授食装置であって、
食品容器の開口端は、封止した構成のとき第１連結部材の環状プラットホームと第２連結部材と間でクランプされるのに適合した環状フランジを備える授食装置。
【請求項１４】
請求項１３に記載の授食装置であって、さらに、位置固定機構を備えており、環状プラットホームに対する環状フランジの位置は、位置固定機構によって、食品容器が人の口の中にある場合人の手がほぼ水平となるよう、固定される授食装置。
【請求項１５】
請求項１４に記載の授食装置であって、位置固定機構は、環状フランジに形成されたノッチと、環状プラットホームに形成された対応する凸部と、を備える授食装置。
【請求項１６】
請求項１５に記載の授食装置であって、
ハンドルアセンブリは、ハンドルコアと、ハンドルパッドと、ハンドルスリーブと、を備えており、ハンドルコアは第２連結部材に接続され、ハンドルパッドはハンドルコアに固定され、そして、ハンドルスリーブがハンドルパッドの周囲に巻き付けられている授食装置。
【請求項１７】
請求項１に記載の授食装置であって、少なくとも１つの孔の形状は円形であり、直径は約１ｍｍから約５ｍｍである授食装置。
【請求項１８】
請求項１に記載の授食装置であって、食品容器は複数の孔を備える授食装置。
【請求項１９】
請求項１８に記載の授食装置であって、２つの隣接した孔の間の距離は約２ｍｍから約１０ｍｍである授食装置。
【請求項２０】
請求項１８に記載の授食装置であって、孔は、食品容器の周囲３６０度に配置される授食装置。
【請求項２１】
請求項１に記載の授食装置であって、食品容器は、食品容器の外面において複数の凸状部を備える授食装置。
【考案の詳細な説明】
【技術分野】
【０００１】
本願は、授食装置に関する。
【背景技術】
【０００２】
哺乳瓶は、ミルクや飲み物など液状食を収容して幼児に与えるために用いられている。
【考案の概要】
【考案が解決しようとする課題】
【０００３】
しかしながら、梨、林檎などのカットフルーツの小片および野菜を収容して幼児に与えるのに適した授食装置は存在しない。フルーツ、ゼリー、ヨーグルト、魚、肉などの食品を幼児に与えるために用いることができる授食装置を提供する必要がある。
【課題を解決するための手段】
【０００４】
本実用新案の一の側面では、
開口端と、閉口端と、少なくとも１つの孔と、を有する食品容器と、
容器開口端と連通している開口部を有する第１連結部材であって、食品容器が第１連結部材と係合している第１連結部材と、
第１連結部材と協働する第２連結部材であって、食品が開口部を通過して食品容器内へ入ることを可能にする開いた構成と、第２連結部材が第１連結部材の開口部をカバーして食品容器の開口端を封止する封止した構成と、の間で移動可能な第２連結部材と、
を有する授食装置であって、
食品容器は柔らかい弾性材料で形成されており、少なくとも１つの孔および食品容器は、通常は食品容器がその元の形状にありそして食品が食品容器の内部にとどまるようなサイズおよび形状に形成されており、食品容器は人の口の中にあるとき食品を少なくとも１つの孔を通過させる外力によって変形し、そして、食品容器はその力が解放されたときその元の形状に戻る授食装置を提供する。
【０００５】
一の態様では、柔らかい弾性材料は、食品用途に適したシリコーン、ラテックスあるいはゴムである。
【０００６】
一の態様では、凸状部が食品容器の外面においてそれぞれの孔の周囲に形成される。
【０００７】
一の態様では、凸状部の外面は、概ね上部を切りとられたドーム状である。
【０００８】
一の態様では、授食装置は、さらに、封止した構成のとき第１および第２連結部材を合わせて固定するための少なくとも１つの固定機構を有する。
【０００９】
一の態様では、第１および第２連結部材は、ねじあるいは留め具によって合わせて固定される。
【００１０】
一の態様では、第１および第２連結部材は、一方の側でヒンジによって合わせて接続され、反対側で合わせて固定される。
【００１１】
一の態様では、第１および第２連結部材は、２つの側において２つの留め具によってそれぞれ合わせて固定される。
【００１２】
一の態様では、食品容器の開口端と、第１および第２連結部材の外面と、の形状は、概ね円形である。
【００１３】
一の態様では、食品容器は、概ね哺乳瓶の乳首の形状である。
【００１４】
一の態様では、食品容器の閉口端の形状は、概ね幼児の口の形状と一致する。
【００１５】
一の態様では、授食装置は、さらに、食品容器をカバーするためのキャップを有する。
【００１６】
一の態様では、食品容器の開口端は、封止した構成のとき第１連結部材の環状プラットホームと第２連結部材と間でクランプされるのに適合した環状フランジを有する。
【００１７】
一の態様では、授食装置は、さらに、位置固定機構を有しており、環状プラットホームに対する環状フランジの位置は、位置固定機構によって、食品容器が人の口の中にある場合人の手がほぼ水平となるよう、固定される。
【００１８】
一の態様では、位置固定機構は、環状フランジに形成されたノッチと、環状プラットホームに形成された対応する凸部と、を有する。
【００１９】
一の態様では、ハンドルアセンブリは、ハンドルコアと、ハンドルパッドと、ハンドルスリーブと、を備えており、ハンドルコアは第２連結部材に接続され、ハンドルパッドはハンドルコアに固定され、そして、ハンドルスリーブがハンドルパッドの周囲に巻き付けられている。
【００２０】
一の態様では、少なくとも１つの孔の形状は円形であり、直径は約１ｍｍから約５ｍｍである。
【００２１】
一の態様では、２つの隣接した孔の間の距離は約２ｍｍから約１０ｍｍである。
【００２２】
一の態様では、授食装置の食品容器は複数の孔を有する。
【００２３】
一の態様では、孔は、食品容器の周囲３６０度に配置される。
【００２４】
一の態様では、授食装置は、さらに、食品容器の外面に形成された複数の凸部を有する。
【図面の簡単な説明】
【００２５】
【図１】図１は、授食装置の第１実施形態の分解組立図である。
【図２】図２は、授食装置の第２実施形態の分解組立図である。
【図３】図３は、授食装置の第３実施形態の分解組立図である。
【図４】図４は、授食装置の第３実施形態の斜視図である。
【図５】図５は、授食装置の第４実施形態の一部分解組立図である。
【図６】図６は、授食装置の第４実施形態の斜視図である。
【図７Ａ】図７Ａは授食装置の第５実施形態の一部分解組立図である。
【図７Ｂ】図７Ｂは授食装置に配置された環状凸部の平面図である。
【図７Ｃ】図７Ｃは図７Ｂにおける環状凸部の線Ｘ−Ｘに沿って得られる断面図である。
【図８】図８は、授食装置の第５実施形態の斜視図である。
【図９】図９は、授食装置の第６実施形態の一部分解組立図である。
【図１０】図１０は、授食装置の第６実施形態の斜視図である。
【図１１】図１１は、図１０における授食装置の線Ａ−Ａに沿って得られる断面図である。
【図１２】図１２は、授食装置の第７実施形態の斜視図である。
【図１３】図１３は、授食装置の第８実施形態の斜視図である。
【図１４】図１４は、授食装置の第９実施形態の斜視図である。
【図１５】図１５は、授食装置の第１０実施形態の斜視図である。
【図１６】図１６は、孔と凸部とを有する食品容器の斜視図である。
【図１７】図１７は、食品容器に配置された凸部の平面図である。
【図１８】図１８は、図１７における凸部の線Ｙ−Ｙに沿って得られる断面図である。
【考案を実施するための形態】
【００２６】
明細書および実用新案請求の範囲を通じて、１つのエレメントが他のエレメントに「連結される」あるいは「接続される」場合、エレメントは他のエレメントに必ずしも固定する、留める、あるいは取り付けることを意味しない。むしろ、用語「連結される」あるいは「接続される」は、あるエレメントが他のエレメントに直接的あるいは間接的に接続される、または他のエレメントとの機械的あるいは電気的な連絡状態にあること、を意味する。
【００２７】
図１は、授食装置の第１実施形態の分解組立図である。装置は、食品容器７と、第１連結部材５と、第２連結部材３と、を有する。食品容器７は、開口端７１と閉口端７２とを有する。第１連結部材５は、開口部５１を有している。食品容器７は、取り外し可能に第１連結部材５と係合することができる。食品容器７が第１連結部材５に連結される場合、食品容器７の開口端７１は、第１連結部材５の開口部５１と連通状態にある。食品を、第１連結部材の開口部５１および食品容器７の開口端７１を通して食品容器７内に入れることができる。第２連結部材３は第１連結部材５と協働することができるとともに、開いた構成と封止した構成との間で移動可能である。開いた構成においては、食品を、第１連結部材５の開口部５１および食品容器７の開口端７１を通して食品容器７内に入れることができる。封止した構成においては、第２連結部材３は、第１連結部材５の開口部５１をカバーし、これにより、食品容器７の開口端７１を封止する。
【００２８】
食品容器７には、少なくとも１つの孔８が配置される。例示の実施形態では、食品容器７は、食品容器７の周囲３６０度に配置された複数の孔８を有する。孔８のサイズおよび形状を、孔８から出てくる食品がその食品を摂取する人ののどを詰まらせないように設計することができる。例示の実施形態では、孔８の形状は円形であり、直径を約１ｍｍから約５ｍｍとすることができる。孔８のサイズ、数および配置は、種々の設計および要求に応じて変更することができる。
【００２９】
食品容器７を、食品用途に適した柔らかい弾性材料で形成することができる。食品用途のこの柔らかい弾性材料は、食品用途のシリコーンあるいはラテックス、またはゴムあるいはポリ塩化ビニル（ＰＶＣ）を含むことができる。シリコーン材料は、無毒で、環境に優しく、耐摩耗性があり、高温および低温に耐性があり、経年変化が小さい。シリコーンで形成された製品は、より環境に優しく、より安全で、より耐久性が高い。食品容器７を、人が食品容器７を透かして容易に見ることを可能にし、容器７が満杯か空かどうか知ることを可能にする透明な柔らかい弾性材料で形成することができることを記載しておく。
【００３０】
通常は、食品容器７はその元の形状にあり、そして、食品は食品容器７の内部にとどまる。食品容器７が人の口の中に入れられ、人が食品容器７を噛む、食わえるあるいは吸うと、食品容器７は、食品（砕いた食品の小片、フルーツピューレ、搾りかす、ジュースなど）を孔８を通じてしみ出し通過させる外力によって変形する。食品容器７は、その力が解放されると食品容器７の復元力によりその元の形状に戻る。
【００３１】
食品容器７は、フルーツの小片、あるいはゼリー、ヨーグルト、野菜、肉、魚などの他の食品を収容するサイズおよび形状に形成することができる。食品容器７は、食わえる、吸う、あるいは噛む人の口の中に入れることができる。ジュースと搾りかすとを有するフルーツについては、フルーツジュースおよび搾りかすの小片を孔８を通じて人の口へ吸うことができるが、絞りかすのより大きな欠片は食品容器７の内部に残る。孔８が食品を食べる人の食道より小さいので、その人は孔８から出てくる食品によってのどを詰まらせることがないことになる。これにより、授食装置から食品を食べる人の安全を守ることができる。ピューレを有するが搾りかすのないフルーツについては、フルーツピューレを孔８を通じて人の口へと与えることができる。したがって、幼児すなわち赤ちゃんにフルーツなどの食品を食べさせるとともに、フルーツでのどを詰まらせるおそれなく幼児すなわち赤ちゃんに噛んで飲み込むことを教えるように、授食装置を用いることができる。授食装置は、幼児すなわち赤ちゃんに対して安全であり、用いるのに便利である。世話人が食品を与える前にフルーツからジュースを絞る必要がないからである。授食装置を用いることによって、幼児すなわち赤ちゃんは、容易に、新鮮なフルーツ（苺、林檎、梨など）、野菜、魚、肉などを食べることができる。
【００３２】
食品容器７が固形状態と液体状態とにある食品の混合物を含んでいる場合、液体は表面張力の影響で孔８に封止膜を形成することができる。したがって、容器７内部の食品は、容易に孔８を通って流出することができない。幼児すなわち赤ちゃんは、孔８を通じて食品を吸うよう吸引行為を行なう必要がある。これにより、口の周囲の筋肉を訓練することができるとともに幼児すなわち赤ちゃんの肺活量を訓練することができる。また、これにより、孔８を通る液体の漏れを防ぐことができ、授食装置から食品を食べる人の衣服が汚れることを防止することができる。もしも食品容器７がメッシュで作られている場合、メッシュの孔は弾力がなく、したがって、メッシュの孔に封止膜を形成するのは難しい。メッシュ上の孔が互いに接近していくにしたがって、メッシュの孔に封止膜を形成することはより難しくなる。本願における２つの孔８の間の距離は約２ｍｍから約１０ｍｍである。
【００３３】
図１に示すように、第１連結部材５および第２連結部材３を、合わせて連結することができる。例えば、第１連結部材５には環状凹部を配置することができ、第２連結部材３には環状凸部を配置することができる。環状凸部が環状凹部内へと押されるとき、封止した構成を形成することができる。環状凸部が環状凹部から引き出されるとき、開いた構成を形成することができる。もちろん、第１連結部材５および第２連結部材３を、ねじなど他の適当な連結機構によって合わせて連結することができる。
【００３４】
図２に示すように、授食装置に、第２連結部材３に接続されるハンドルアセンブリ１をさらに配置することができる。これにより、食品を食べる人が授食装置を掴むことが容易になる。これは、特に赤ちゃんや患者に対する、人の手の筋肉のトレーニングに役立つことができ、手、脳および口の連携に役立つことができる。この授食装置設計は、幼児すなわち赤ちゃんの食品を食べる自主性を実現させることができる。
【００３５】
授食装置は、また、食品容器７をカバーするキャップ９を有することができる。キャップ９は、外部環境から食品を隔離するよう機能する。キャップ９は、人が食べていないとき、食品が埃やゴミで汚れることを防止することができる。キャップ９を、第１連結部材５に取り外し可能に取り付けることができる。例示の実施形態に示すように、キャップ９を単純なスナップ嵌合（パチンと嵌る）機構によって第１連結部材５に取り付けることができる。キャップ９を、ねじなど他の適切な機構によって第１連結部材５に取り付けることができることは理解されよう。キャップ９の閉口端には、複数の支持エレメント９１を配置することができる。支持エレメント９１により、キャップ９が机などの平坦面上にしっかりと立つことができる。食品容器７に食品を満たすために、第１連結部材５にキャップ９を取り付けて、次に、キャップ９を支持エレメント９によって机に直立姿勢で置くことができる。これにより、片手であっても食品容器７を食品で満たすことが容易になる。キャップ９を、また、透明として、食品容器７内部の食品が見えるようにすることもできる。
【００３６】
図２に示すように、授食装置に、紐を結びつけることができる紐取り付けエレメント１０を配置することもできる。紐取り付けエレメント１０は、概ね、第２連結部材３に一体的に形成されたリングの態様とできる。紐取り付けエレメント１０は、硬いプラスチック材料あるいは他の適当な材料で形成することができる。紐を結びつけるあるいは紐を紐取り付けエレメント１０に通すことができ、これにより、授食装置を人に吊すことができる。これにより、誤って授食装置を地面に落として、食品が汚れることを防止する。
【００３７】
食品容器７を、哺乳瓶の乳首の形状に形成することができる。これは、幼児すなわち赤ちゃんをなだめるおしゃぶりとして機能し、幼児すなわち赤ちゃんに食品を食べることを促す。食品容器７の閉口端を、幼児すなわち赤ちゃんの口の形状にほぼ一致する形状に形成することができる。これにより、幼児が口の中に食品容器７を入れることを容易にし、のどを詰まらせることなく食品容器７からフルーツジュース、ピューレあるいは搾りかすを吸うことを容易にする。
【００３８】
例示の実施形態では、食品容器７の開口端７１と、第１連結部材５および第２連結部材３の外面と、の形状は、概ね円形である。これにより、汚れを授食装置に閉じ込めることが防止され、授食装置の洗浄が容易になる。
【００３９】
授食装置に、また、封止した構成において授食装置の第１および第２連結部材５，３を固定するための固定機構を配置することができる。固定機構は、第１および第２連結部材５，３の間の封止を強化することができ、誤って第１連結部材５が第２連結部材３から外れ食品を落とすことを防止することができる。
【００４０】
図３および図４に例示する実施形態では、固定機構はヒンジ１７と留め具１８とを有することができる。第１および第２連結部材５，３の一方の側を、ヒンジ１７によって互いにヒンジ状に接続することができる。第１および第２連結部材５，３の反対側を、留め具１８によって合わせて固定することができる。留め具１８の一方の端部１８１を、第２連結部材３に可動に接続することができる。留め具１８の他方の端部１８３は、第１連結部材５に一体的に形成された対応する固定凸部との摩擦係合のための固定孔を有することができる。ヒンジ１７および留め具１８は構造において単純であり、第１および第２連結部材５，３の開閉を容易にすることができると考えられる。
【００４１】
図５および図６に例示する実施形態では、固定機構は２つの留め具１８，１８を有することができる。第１および第２連結部材５，３の２つの側を、それぞれ２つの留め具１８，１８によって合わせて固定することができる。
【００４２】
図７Ａ、図７Ｂ、図７Ｃおよび図８に示すように、環状凸状部８１を、孔８’の周囲の外面に一体的に形成することができる。凸状部８１は、歯肉をマッサージするのに用いることができ、乳歯が生えるときの不快を緩和でき、幼児すなわち赤ちゃんの歯肉や歯の成長や発育に役立つことができる。凸状部８１は、また、歯肉を強くし、噛む力を強化することができる。幼児あるいは赤ちゃんの好きな食品を食品容器７内に入れることができる。幼児あるいは赤ちゃんはその食品を食べたいと思い、その食品を食べている間に歯肉がマッサージされる。したがって、凸状部８１を有する授食装置は、従来の味がない乳歯を生えさせる装置と比較して、より有効な歯固めとして機能することができる。
【００４３】
本願の材料装置は、１つのハンドルアセンブリあるいは２つのハンドルアセンブリを有することができる。図９および図１０に示すように、授食装置のハンドルアセンブリ１は、ハンドルコア１３と、ハンドルパッド１４と、ハンドルスリーブ１１と、を有することができる。ハンドルコア１３を、第２連結部材３に取り付けることができる。ハンドルパッド１４を、滑り止めおよび外観上の効果を提供するために、ハンドルコア１３に固定することができる。例示の実施形態では、２つのハンドルパッド１４が、ハンドルコア１３の前部および後部にそれぞれ取り付けられている。あるいは、２つのハンドルパッド１４を、ハンドルコア１３の左側および右側にそれぞれ取り付けることもできる。ハンドルスリーブ１１をハンドルパッド１４の周囲に巻き付けることができる。ハンドルアセンブリ１は、さらに、複数の滑り止めストリップ１２を有することができる。ストリップ１２を、さらに滑り止めおよび外観上の効果を提供するために、ハンドルパッド１４に固定することができる。ハンドルパッド１４上のストリップ１２の数を種々の設計に応じて変更することができることは理解されよう。ハンドルスリーブ１１およびストリップ１２を柔らかいゴム、あるいはハンドルアセンブリ１を掴むことを容易にしハンドルアッセンブリ１を持つ人に対して心地よいフィーリングを生み出すことができる他の適当な材料で形成することができる。ハンドルコア１３およびハンドルパッド１４を、硬いプラスチックあるいは他の適当な材料で形成することができる。
【００４４】
図９乃至図１１に示すように、第２連結部材３は外側リング３３と、外側リング３３の上部をカバーするカバー３１と、を有することができる。外側リング３３およびカバー３１を、凹凸機構の相対的な回転によって合わせて連結することができる。例えば、凹凸機構は、外側リング３３およびカバー３１にそれぞれ形成された環状溝および環状凸部を有することができる。外側リング３３およびカバー３１を、また、ねじによって合わせて連結することもできる。あるいは、外側リング３３およびカバー３１を、１つの単一ピースとして一体的に形成することもできる。２つのハンドルコア１３を、カバー３１の２つの側にそれぞれ取り付けることができる。さらに、キャップ９を外側リング３３に連結することができる。
【００４５】
図３および図５の実施形態に示すように、径方向外側に延びる環状フランジ７３が食品容器７の開口端７１に配置される。封止した構成において、環状フランジ７３は、第１連結部材５の径方向内側に延びる環状の肩部すなわちプラットホーム５４に載置されており、環状のプラットホーム５４と第２連結部材３との間にクランプ可能である。開いた構成において、環状フランジ７３を、第１連結部材５の環状のプラットホーム５４から取り外すことができる。これにより、授食装置の組み立ておよび洗浄を簡単かつ容易とできる。食品容器７が柔らかい弾性材料で形成されているので、柔らかい弾力のある環状フランジ７３は、封止機能を有することができ、第１および第２連結部材５，３間の封止を強化できる。これにより、人、特に赤ちゃんが食べながら授食装置で遊んでいるとき、食品がこぼれることをさらに防止することができる。
【００４６】
図１２に示すように、食品容器７の開口端７１および第１連結部材５の形状は、概ね三角形にできる。３つの鋭角のそれぞれを丸くすることができる。図１３に示すように、食品容器７の開口端７１および第１連結部材５の形状は、概ね四角形にできる。角のそれぞれを丸くすることができる。これらの２つの授食装置設計は、衛生問題を引き起こすおそれのある非衛生的なデッドコーナーがなく、したがって洗浄するのが容易である。
【００４７】
図１４および図１５に示すように、環状フランジ７３および環状プラットホーム５４の位置は、位置固定機構によって固定することができ、これにより、食品容器７が口の中にあるとき、人がハンドルを水平姿勢にある手で保持することができる。これにより、食べているとき、人がハンドルを快適に保持することができる。例示の実施形態では、位置固定機構は、環状フランジ７３に配置されたノッチ７５と、環状プラットホーム５４に配置された対応する凸部５８と、を有することができる。もちろん、代わりに、ノッチを環状プラットホーム５４に形成し、対応する凸部を環状フランジ７３に形成することもできることを記載しておく。
【００４８】
環状凸状部８１が孔８’の周囲に形成されることを図示し説明したが、さらなる凸状部を食品容器７の外面の他のどこかに形成することができることは当業者に理解されよう。
図１６は、食品容器７の周囲に形成された複数の孔８と、食品容器７の閉口端に一体的に形成された複数の凸状部８３と、を有する食品容器７を示す。孔８は食品を与えるために用いられ、凸状部８３は赤ちゃんすなわち幼児の歯肉をマッサージするために用いられる。図示の実施形態では、図１７および図１８に示すように、凸状部８３は半円形状である。食品容器７上のこれらの凸状部８３の形状、サイズおよび配置を種々の設計に応じて変更することができることは理解されよう。
【００４９】
孔８，８’の形状を円形として図示し説明したが、孔８，８’を他の適切な形状にできることは理解されよう。
【００５０】
本願において開示される授食装置をいくつかの好ましい実施形態を特に参照して図示し説明したが、添付の実用新案請求の範囲から逸脱することなく種々の変形および変更を行うことができることを述べておく。
【符号の説明】
【００５１】
１  ハンドルアセンブリ
３  第２連結部材
５  第１連結部材
７  食品容器
８，８’  孔
９  キャップ
１０  紐取り付けエレメント
１１  ハンドルスリーブ
１２  滑り止めストリップ
１３  ハンドルコア
１４  ハンドルパッド
１７  ヒンジ
１８  留め具
３１  カバー
３３  外側リング
５１  開口部
５４  プラットホーム
５８  凸部
７１  開口端
７２  閉口端
７３  環状フランジ
８１  凸状部
９１  支持エレメント
【図１】
0003159462.tif 000003
【図２】
0003159462.tif 000004
【図３】
0003159462.tif 000005
【図４】
0003159462.tif 000006
【図５】
0003159462.tif 000007
【図６】
0003159462.tif 000008
【図７Ａ】
0003159462.tif 000009
【図７Ｂ】
0003159462.tif 000010
【図７Ｃ】
0003159462.tif 000011
【図８】
0003159462.tif 000012
【図９】
0003159462.tif 000013
【図１０】
0003159462.tif 000014
【図１１】
0003159462.tif 000015
【図１２】
0003159462.tif 000016
【図１３】
0003159462.tif 000017
【図１４】
0003159462.tif 000018
【図１５】
0003159462.tif 000019
【図１６】
0003159462.tif 000020
【図１７】
0003159462.tif 000021
【図１８】
0003159462.tif 000022